【手続補正書】
【提出日】平成31年2月28日(2019.2.28)
【手続補正１】
【補正対象書類名】特許請求の範囲
【補正対象項目名】全文
【補正方法】変更
【補正の内容】
【特許請求の範囲】
【請求項１】
指定された種類の少なくとも１つの電子部品を指定された位置に配置する実装機と、前記指定された位置に配置された前記少なくとも１つの電子部品を埋設する樹脂成形体を成形する樹脂成形機と、指定されたパターンに従って導電性インクを噴射することにより、前記樹脂成形体の表面上に配線を形成する印刷機とを備えた製造ラインを制御する制御装置であって、
前記製造ラインにて製造される製品の仕様および製造予定個数を設定する仕様設定部と、
前記少なくとも１つの電子部品の種類および位置を示す複数の実装プログラムの中から、前記実装機が使用する実装プログラムを選定する実装プログラム選定部と、
前記実装プログラム選定部によって選定された実装プログラムごとに、当該実装プログラムを使用した前記実装機による実装数をカウントする第１カウント部と、
前記実装プログラムごとに、当該実装プログラムを使用して配置された前記少なくとも１つの電子部品を埋設する前記樹脂成形体の不良数をカウントする第２カウント部と、
前記パターンを示す複数の印刷プログラムの中から、前記印刷機が使用する印刷プログラムを選定する印刷プログラム選定部と、
前記印刷プログラム選定部によって選定された印刷プログラムごとに、当該印刷プログラムを使用した前記印刷機による印刷数をカウントする第３カウント部とを備え、
前記仕様設定部が、第１仕様および第１製造予定個数を設定した後に、第２仕様および第２製造予定個数を設定した場合、
前記実装プログラム選定部は、前記第１仕様に対応する第１実装プログラムを選定した後、前記第１実装プログラムに対応する前記実装数が前記第１製造予定個数に一致したことに応じて前記第２仕様に対応する第２実装プログラムを選定し、
前記印刷プログラム選定部は、前記第１仕様に対応する第１印刷プログラムを選定した後、前記第１印刷プログラムに対応する前記印刷数と前記第１実装プログラムに対応する前記不良数との和が前記第１製造予定個数に一致したことに応じて前記第２仕様に対応する第２印刷プログラムを選定し、
前記複数の実装プログラムは、第３仕様に対応する少なくとも２つの実装プログラムを含み、
前記仕様設定部が前記第３仕様および第３製造予定個数を設定した場合、前記実装プログラム選定部は、前記少なくとも２つの実装プログラムの中から１つの実装プログラムを任意に選定する、制御装置。
【請求項２】
指定された種類の少なくとも１つの電子部品を指定された位置に配置する実装機と、前記指定された位置に配置された前記少なくとも１つの電子部品を埋設する樹脂成形体を成形する樹脂成形機と、指定されたパターンに従って導電性インクを噴射することにより、前記樹脂成形体の表面上に配線を形成する印刷機とを備えた製造ラインを制御する制御装置であって、
前記製造ラインにて製造される製品の仕様および製造予定個数を設定する仕様設定部と、
前記少なくとも１つの電子部品の種類および位置を示す複数の実装プログラムの中から、前記実装機が使用する実装プログラムを選定する実装プログラム選定部と、
前記実装プログラム選定部によって選定された実装プログラムごとに、当該実装プログラムを使用した前記実装機による実装数をカウントする第１カウント部と、
前記実装プログラムごとに、当該実装プログラムを使用して配置された前記少なくとも１つの電子部品を埋設する前記樹脂成形体の不良数をカウントする第２カウント部と、
前記パターンを示す複数の印刷プログラムの中から、前記印刷機が使用する印刷プログラムを選定する印刷プログラム選定部と、
前記印刷プログラム選定部によって選定された印刷プログラムごとに、当該印刷プログラムを使用した前記印刷機による印刷数をカウントする第３カウント部とを備え、
前記仕様設定部が、第１仕様および第１製造予定個数を設定した後に、第２仕様および第２製造予定個数を設定した場合、
前記実装プログラム選定部は、前記第１仕様に対応する第１実装プログラムを選定した後、前記第１実装プログラムに対応する前記実装数が前記第１製造予定個数に一致したことに応じて前記第２仕様に対応する第２実装プログラムを選定し、
前記印刷プログラム選定部は、前記第１仕様に対応する第１印刷プログラムを選定した後、前記第１印刷プログラムに対応する前記印刷数と前記第１実装プログラムに対応する前記不良数との和が前記第１製造予定個数に一致したことに応じて前記第２仕様に対応する第２印刷プログラムを選定し、
前記複数の実装プログラムは、第３仕様に対応する少なくとも２つの実装プログラムを含み、
前記仕様設定部は、前記第３仕様および第３製造予定個数を設定する場合、前記少なくとも２つの実装プログラムの各々の製造予定個数の合計が前記第３製造予定個数となるように、前記少なくとも２つの実装プログラムの各々の製造予定個数を設定し、
前記少なくとも２つの実装プログラムは、第３実装プログラムと第４実装プログラムとを含み、
前記仕様設定部が前記第３仕様および前記第３製造予定個数を設定した場合、前記実装プログラム選定部は、前記第３実装プログラムを選定した後、前記第３実装プログラムに対応する前記実装数が前記第３実装プログラムに対して設定された製造予定個数に一致したことに応じて前記第４実装プログラムを選定する、制御装置。
【請求項３】
前記実装プログラム選定部が選定した実装プログラムが複数の電子部品の種類および位置を示す場合、前記第１カウント部は、前記実装機から当該複数の電子部品の配置を完了したことを示す実装完了信号を受けるごとに前記実装数を１だけ増やす、請求項１または２に記載の制御装置。
【請求項４】
前記第３カウント部は、前記印刷機から印刷開始の信号を受けるごとに前記印刷数を１だけ増やす、請求項１から３のいずれか１項に記載の制御装置。
【請求項５】
前記複数の印刷プログラムは、前記第３仕様に対応する少なくとも２つの印刷プログラムを含み、
前記仕様設定部が前記第３仕様および前記第３製造予定個数を設定した場合、前記印刷プログラム選定部は、前記少なくとも２つの印刷プログラムの中から、前記実装プログラム選定部によって選定された実装プログラムに対応する印刷プログラムを選定する、請求項１に記載の制御装置。
【請求項６】
前記複数の印刷プログラムは、前記第３実装プログラムに対応する第３印刷プログラムと、前記第４実装プログラムに対応する第４印刷プログラムとを含み、
前記仕様設定部が前記第３仕様および前記第３製造予定個数を設定した場合、前記印刷プログラム選定部は、前記第３印刷プログラムを選定した後、前記第３印刷プログラムに対応する前記印刷数と前記第３実装プログラムに対応する前記不良数との和が前記第３実装プログラムに対して設定された製造予定個数に一致したことに応じて前記第４印刷プログラムを選定する、請求項２に記載の制御装置。
【請求項７】
前記少なくとも１つの電子部品は、複数のグループに分けられ、
前記少なくとも２つの実装プログラムにおける前記複数のグループの配置は互いに異なる、請求項１から６のいずれか１項に記載の制御装置。
【請求項８】
前記樹脂成形機は、成形型を用いた射出成形機である、請求項１から７のいずれか１項に記載の制御装置。
【請求項９】
前記樹脂成形機は、指定された形状の前記樹脂成形体を成形する３Ｄプリンタであり、
前記制御装置は、
前記樹脂成形体の形状を示す複数の成形プログラムの中から、前記樹脂成形機が使用する成形プログラムを選定する成形プログラム選定部と、
前記成形プログラム選定部によって選定された成形プログラムごとに、当該成形プログラムを使用した前記樹脂成形機による成形数をカウントする第４カウント部とをさらに備え、
前記仕様設定部が、前記第１仕様および前記第１製造予定個数を設定した後に、前記第２仕様および前記第２製造予定個数を設定した場合、前記成形プログラム選定部は、前記第１仕様に対応する第１成形プログラムを選定した後、前記第１成形プログラムに対応する前記成形数が前記第１製造予定個数に一致したことに応じて前記第２仕様に対応する第２成形プログラムを選定する、請求項１から７のいずれか１項に記載の制御装置。
【請求項１０】
前記樹脂成形機は、指定された樹脂材の前記樹脂成形体を成形する３Ｄプリンタであり、
前記制御装置は、
前記樹脂成形体の樹脂材の種類を示す複数の成形プログラムの中から、前記樹脂成形機が使用する成形プログラムを選定する成形プログラム選定部と、
前記成形プログラム選定部によって選定された成形プログラムごとに、当該成形プログラムを使用した前記樹脂成形機による成形数をカウントする第４カウント部とをさらに備え、
前記仕様設定部が、前記第１仕様および前記第１製造予定個数を設定した後に、前記第２仕様および前記第２製造予定個数を設定した場合、前記成形プログラム選定部は、前記第１仕様に対応する第１成形プログラムを選定した後、前記第１成形プログラムに対応する前記成形数が前記第１製造予定個数に一致したことに応じて前記第２仕様に対応する第２成形プログラムを選定する、請求項１から７のいずれか１項に記載の制御装置。
【手続補正２】
【補正対象書類名】明細書
【補正対象項目名】００７４
【補正方法】変更
【補正の内容】
【００７４】
切替指示部２４は、第１〜第３タイミングにおいて、ロット管理テーブル４４の実装状況情報、成形状況情報および印刷状況情報のいずれかを更新する。
【手続補正３】
【補正対象書類名】明細書
【補正対象項目名】００８３
【補正方法】変更
【補正の内容】
【００８３】
第３タイミングは、次の２つのタイミングを含む。１つ目は、次の第５条件と第６条件との両方を満たしたタイミングである。第５条件は、ロット管理テーブル４４に印刷状況情報「処理中」を含むレコードと印刷状況情報「未処理」を含むレコードとが存在するという条件である。第６条件は、印刷状況情報「処理中」を含むレコードのロット番号に対応する印刷数と当該ロット番号に対応する不良数との合計値が当該ロット番号に対応する製造予定個数と一致するという条件である。２つ目は、ロット管理テーブル４４に印刷状況情報「処理中」を含むレコードが存在しない場合において、ロット管理テーブル４４に印刷状況情報「未処理」を含むレコードが新たに追加されたタイミングである。
【手続補正４】
【補正対象書類名】図面
【補正対象項目名】図２
【補正方法】変更
【補正の内容】
【図２】
2018120948.tif 000001